(57)【要約】【課題】表示板の前面に配置された導光板内に光を入射する光源と、指針の後方に配置された導光体内に光を入射する光源とを兼用することにより、部品点数の削減と組立工数の低減を図りながら斬新な見栄えのする計器装置を提供する。【解決手段】表示板９と、この表示板９の前面に配置された導光板１０と、この導光板１０の前方側に配置された指針７と、この指針７の後方に配置された導光体１１と、この導光体１１の後方に配置され導光体１１内に入射される光を放つ発光ダイオード１２とを備えた計器装置において、導光体１１に反射面２４を設け、この反射面２４に反射した発光ダイオード１２の光が導光板１０内に入射されるように構成する。【選択図】図２
2005214754.tif 000002
【特許請求の範囲】
【請求項１】
表示板と、この表示板の前面に配置された導光板と、この導光板の前方側に配置された指針と、この指針の後方に配置された導光体と、この導光体の後方に配置され導光体内に入射される光を放つ光源とを備えた計器装置において、前記導光体に反射面を設け、この反射面に反射した前記光が前記導光板内に入射されるように構成したことを特徴とする計器装置。
【請求項２】
前記導光板の表面または裏面の少なくとも一方に拡散処理を施したことを特徴とする請求項１に記載の計器装置。
【請求項３】
前記導光板と前記導光体とが一体形成されていることを特徴とする請求項１または請求項２に記載の計器装置。
【請求項４】
前記表示板の後方に前記表示板を照明する表示板用光源を配置したことを特徴とする請求項１から請求項３のいずれかに記載の計器装置。
【発明の詳細な説明】
【技術分野】
【０００１】
本発明は、例えば車両用の計器装置に関し、特に表示板の前面に配置された導光板と、指針の後方に配置され指針に光を導く導光体を備えた計器装置に関するものである。
【背景技術】
【０００２】
従来、この種の計器装置として、例えば下記特許文献１に記載のものが知られている。特許文献１に記載の車両用指針計器（計器装置）は、その第１実施形態（図１，図３）あるいは第２実施形態（図７）に示されているように、文字盤２の前面に導光体２０を配置し、この導光体２０内に発光ダイオード２２，２４の光を入射して見栄えのある斬新な視認性が得られる計器を提供しようとするものである。また、指針９ｂは背後に配置された導光板５から導かれた発光ダイオード８の光によって照明されるものである。
【特許文献１】特開２００３−３０２２６２号公報
【発明の開示】
【発明が解決しようとする課題】
【０００３】
しかしながら、前記特許文献１に記載の計器においては、導光体２０内に光を入射するための発光ダイオード２２（２４）と、指針９ｂ照明用の導光板５内に光を入射するための発光ダイオード８がそれぞれ必要であり、部品点数が増えると共に、構造が複雑となって組立工数が増加してコストアップの要因ともなる。
【０００４】
本発明はこの様な点に鑑みなされたもので、表示板の前面に配置された導光板内に光を入射する光源と、指針の後方に配置された導光体内に光を入射する光源とを兼用することにより、部品点数の削減と組立工数の低減を図りながら斬新な見栄えのする計器装置を提供することを目的とする。
【課題を解決するための手段】
【０００５】
本発明は前記目的を達成するため、表示板と、この表示板の前面に配置された導光板と、この導光板の前方側に配置された指針と、この指針の後方に配置された導光体と、この導光体の後方に配置され導光体内に入射される光を放つ光源とを備えた計器装置において、前記導光体に反射面を設け、この反射面に反射した前記光が前記導光板内に入射されるように構成したものである。
【０００６】
また、前記導光板の表面または裏面の少なくとも一方に拡散処理を施したものである。
【０００７】
また、前記導光板と前記導光体とが一体形成されているものである。
【０００８】
また、前記表示板の後方に前記表示板を照明する表示板用光源を配置したものである。
【発明の効果】
【０００９】
部品点数の削減と組立工数の低減を図りながら斬新な見栄えのする計器装置を得ることができる。
【発明を実施するための最良の形態】
【００１０】
本発明を、車両用の計器装置を実施形態として説明する。図１および図２に本発明の第１実施形態を示す。図１は、回転計１と速度計２を備えた計器装置の正面図であり、図２は、回転計１箇所の断面図（図１に於けるＡ−Ａ断面）である。なお、速度計２に関する詳細説明は省略するとともに、図１に於いて速度計２の表示部は記載を省略してある。
【００１１】
計器装置は、例えば回転計１と速度計２を備えており、硬質な回路基板３と、この回路基板３の裏面側に回路基板３と導通状態で装着され、回路基板３を貫通して前方に延びる回動軸４を有する回転計１用の計器本体５と、回動軸４の先端側に固着された指示部６を有する指針７と、指示部６の後方に配置され指示部６の動作に対応する表示部８を設けた回転計１用の表示板９（速度計２用の表示板は９Ａとする）と、表示板９の前面に配置された導光板１０と、指針７の後方に配置された導光体１１と、この導光体１１の後方の回路基板３上に配置され導光体１１内に光を入射する光源としての発光ダイオード１２と、表示板９と回路基板３との間に配置され表示板９および導光板１０を支持する支持部材１３を備えている。
【００１２】
また、表示板９と回路基板３との間には略リング状の導光リング１４が配置してあり、回路基板３上には、この導光リング１４内に光を入射する表示板用光源としての発光ダイオード１５が配置してある。また、回路基板３の裏面側を覆う合成樹脂製のカバー１６と、各表示板９，９Ａの周縁に沿った前方側に配置され表示板９，９Ａの可視領域を定める開口部１７を有する例えば黒色の見返し板１８と、表示板９，９Ａや見返し板１８などの前方側を被う無色透明な透視板１９を備えている。
【００１３】
指針７は、無色透明な合成樹脂からなる指示部６の他に、指針軸２０と、指示部６の基部周囲（指針軸２０の上方）を覆う遮光部材としての黒色の指針キャップ２１を備えている。この指針７は指針軸２０を計器本体５の回動軸４の先端側に圧入することによって計器本体５に固着されている。また、指示部６の裏面には白色の箔（図示せず）がホットスタンプされており、通常（周囲が明るい時）は白色で視認される。
【００１４】
導光体１１は光透過性の合成樹脂からなり、発光ダイオード１２の光を受光する受光面２２と、この受光面２２から入射した光が指針７側に出射する指針側出射面２３と、受光面２２から入射した光を導光板１０側に反射させる反射面２４と、この反射面２４で反射した光が導光板１０の導光板穴２５の穴面２６に向けて出射する導光板側出射面２７を有している。なお、本実施形態に於ける導光体１１は無色透明であり、図示しないがフックや圧入などにより支持部材１３に保持されている。あるいは、導光リング１４と繋がっていても良い。
【００１５】
表示板９は、導光体１１が貫通する表示板穴２８を有する光透過性である無色透明な基板の表面側に、車両のエンジン回転数を現す目盛，数字などの例えば白色の表示部８と、この表示部８を除いて例えば黒色の地部２９が印刷によって設けてある。なお、図１に於いては表示部８を黒色で、地部２９を無色で示す。また、表示部８は光を透過する様になっている。
【００１６】
導光板１０は、導光体１１が貫通する導光板穴２５を有する光透過性の合成樹脂からなり、本実施形態に於ける導光板１０は無色透明な板状部材である。そして、表示板９のほぼ全面を被うように配置してある。また、表面全面には拡散処理としての透明な艶消し層３０が印刷によって設けてある。
【００１７】
支持部材１３は、遮光性のある白色の合成樹脂からなり、回動軸４の周囲に配置された発光ダイオード１２を囲むように立設した略円筒形の筒部３１と、筒部３１周囲の発光ダイオード１５周辺から筒部３１を取り巻くように表示板９の周囲側に向かって傾斜して形成された反射部３２と、表示板９の周縁に沿って形成された前面部３３と、外周壁３４などを有している。表示板９および導光板１０は、筒部３１の先端側と前面部３３に載置（支持）されている。
【００１８】
この様に構成された計器装置において、夜間など周囲が暗い時に、例えば赤色で発光する発光ダイオード１２が点灯すると、受光面２２から導光体１１内に入射した光が指針側出射面２３から出射して指示部６の基部内に入射して、指針７の指示部６が赤色で光輝するようになっている。また、導光体１１内に入射した光の一部は反射面２４で反射して導光板側出射面２７から出射する。そして、導光板１０の穴面２６から導光板１０内に入射する。
【００１９】
導光板１０内に入射し、導光板１０の表面および裏面で反射を繰り返しながら進む光などによって、導光板１０の中心側（指針７側）は赤色となり、周縁側に向かうに従って徐々に淡い赤色となる。すなわち、グラデーションとして視認される。回動軸４の周囲に複数の発光ダイオード１２がほぼ等間隔で配置されていれば、導光板１０全体がグラデーションとなる。また、導光板１０の表面側に艶消し層３０が設けてあることにより、導光板１０内を進んだ光が艶消し層３０で乱反射することによって、より鮮明なグラデーションとなる。
【００２０】
また、導光板１０内で反射した光によって表示部８が照らし出されて表示部８は赤みがかった白色で視認されるが、表示板用光源である例えば白色で発光する発光ダイオード１５が点灯すると、導光リング１４内に入射した光はリング反射面３５で反射してリング出射面３６から出射される。そして、支持部材１３の反射部３２に反射して表示板９の裏面側に向かう。すると、導光板１０内に導かれて表示部８を表面側から照明する光より、表示板９の裏面を照射する光が強いため、表示部８は白色で透過照明（透過表示）される。
【００２１】
この様に、導光体１１の後方に配置した発光ダイオード１２の光を導光体１１内に入射させて指針７の指示部６を光輝させるとともに、導光体１１内に入射させた光を反射面２４で反射させて導光板１０内に導くようにしたことにより、指針照明用と導光板照明用の発光ダイオード１２を兼用でき、部品点数の削減を図り、組立工数を低減させることができる。それと共に、表示板９の前面側に配置した導光板１０に発光ダイオード１２の光を導くことにより、導光板１０にグラデーションを与えることができ、またグラデーションの背後に表示部８が視認されるなどにより、斬新な見栄えのする計器装置を得ることができる。
【００２２】
また、導光板１０の表面に艶消し層３０を設けたことにより、導光板１０内に入射された発光ダイオード１２からの光を拡散反射させることができ、グラデーションがより鮮明に視認される。また、艶消し層３０を導光板１０の表面側に設けることによって、外光による反射も抑えられるものである。なお、艶消し層３０に替えて反射低減膜（ＡＲコート）を施しても良い。
【００２３】
また、表示板９の後方に表示板用光源としての発光ダイオード１５を配置することにより、表示部８をより鮮明に透過照明させることができるとともに、発光ダイオード１５の発光色を任意に変えることによって導光板１０の照明色とは異なった透過色とすることが可能となり、斬新さがより増す。
【００２４】
図３は、本発明の第２実施形態を示す計器装置の断面図である。本実施形態に於いては、前記第１実施形態に於ける導光板と導光体を一体で形成したところの導光部材３７を備えているものである。また、前記第１実施形態に於ける導光リング１４は備えていない。なお、前記第１実施形態と同一箇所についてはその説明は省略する。
【００２５】
導光部材３７は、前記第１実施形態に於ける導光板１０に相当する導光板部３８と、導光体１１に相当する導光体部３９を有する。また、導光板部３８は表示板９の前面に配置されるが、表示板９の周縁側に設けてある目盛，数字などの表示部８は被わないようになっている。また、表面全面には拡散処理としての微細な凹凸（シボ）４０が設けてある。
【００２６】
支持部材１３の筒部３１周囲には、筒部３１と一体に発光ダイオード１５からの光を反射部３２側に反射させる反射壁４１が設けてある。
【００２７】
この様に構成された計器装置において、夜間など周囲が暗い時に、例えば赤色で発光する発光ダイオード１２が点灯すると、導光部材３７の受光面２２から導光体部３９内に入射した光が指針側出射面２３から出射して指示部６の基部内に入射して、前記第１実施形態と同様に、指針７の指示部６が赤色で光輝するようになっている。また、導光体部３９内に入射した光の一部は反射面２４で反射して導光板部３８内を周縁側に向かって進み、前記第１実施形態と同様にグラデーションとして視認される。この際、導光板部３８の表面に微細な凹凸４０が設けてあるため、乱反射によってより鮮明なグラデーションとなる。
【００２８】
また、表示板９の表示部８は導光板部出射面４２から出射した光によって赤みがかった白色で視認されるが、例えば白色で発光する発光ダイオード１５が点灯すると、支持部材１３の反射壁４１に反射した後、反射部３２に反射した光や表示板９の裏面を直射する光などの強い光によって白色で透過照明（透過表示）されるようになる。
【００２９】
この様に、指針照明用と導光板照明用の発光ダイオード１２を兼用することにより、前記第１実施形態と同様に、部品点数の削減を図り、組立工数を低減させながら斬新な見栄えのする計器装置を得ることができる。また、導光板と導光体とを一体で形成することにより、部品点数の更なる削減と組立工数の低減に繋がる。
【００３０】
なお、本発明は前記各実施形態に限定されるものではなく、例えば第１実施形態において導光板１０と導光体１１が一体で形成されていても良く、あるいは第２実施形態における導光部材３７が第１実施形態の様に分離されていても良い。また、表示部８を背後から透過照明する発光ダイオード１５は必ずしも設ける必要はない。
【００３１】
また、艶消し層や凹凸などの拡散処理などは導光板の全面でなくとも良く、拡散処理面は表面に限定するものではなく、裏面あるいは表と裏の両面に設けても良い。また、計器装置に斬新さを与えるために、導光板１０（あるいは導光板部３８）に様々な模様などを施しても良い。また、導光板１０（あるいは導光部材３７）は透過性の着色材としても良く、導光板１０の中心側が厚く周縁に向けて徐々に薄くなるように形成しても良い。
【００３２】
また、透視板１９を無色透明としたが、例えば黒色の半透明材とし、通常は計器装置の内部が見えないようにしておき、発光ダイオード１２，１５の点灯によって指針７，導光板１０（導光板部３８），表示板９などが現れるようにしても良い。
【図面の簡単な説明】
【００３３】
【図１】本発明の第１実施形態を示す計器装置の正面図。
【図２】同計器装置の断面図（図１に於けるＡ−Ａ断面）。
【図３】本発明の第２実施形態を示す計器装置の断面図。
【符号の説明】
【００３４】
７  指針
８  表示部
９，９Ａ  表示板
１０  導光板
１１  導光体
１２  発光ダイオード（光源）
１５  発光ダイオード（表示板用光源）
２４  反射面
３０  艶消し層（拡散処理）
【図１】
2005214754.tif 000003
【図２】
2005214754.tif 000004
【図３】
2005214754.tif 000005